(57)【特許請求の範囲】
【請求項１】
(1)  車体の内装部材の天井内において、車体の金属フレームに取り付けられたテレビ基台本体と、
(2)  ルームミラーの上方にて該ルームミラーに隣接するようにモニターを配置するための、前記テレビ基台本体に取り付けられたモニター取付部材と、
(3)  前記テレビ基台本体を下から覆う目隠しカバーとで構成された車載用モニター取付装置であって、
(4)  前記テレビ基台本体は、本体取付部と、その左右方向に張り出すように取り付けられた取付バーとを備えており、
(5)  前記本体取付部は、ルームミラーを装着するためのルームミラー固定フレームに取り付けられ、
(6)  前記取付バーは、左右のサンバイザーを固定するためのサンバイザー固定フレームに取り付けられることを特徴とする車載用モニター取付装置。
【請求項２】
前記目隠しカバーには、その車体から取り外されたルームミラーを再装着する再装着孔が前記モニター取付部材のフロントガラス側に更に設けられていることを特徴とする請求項１に記載の車載用モニター取付装置。
【請求項３】
前記目隠しカバーには、そのルーム側に室内灯が装着される室内灯装着部が更に設けられていることを特徴とする請求項１又は２に記載の車載用モニター取付装置。
【発明の詳細な説明】
【技術分野】
【０００１】
本発明は、ルームミラーに隣接してモニターを装備することができる、特に小型車用の後付けの車載用モニター取付装置に関する。
【背景技術】
【０００２】
車の電子化或いはリビング化の進行により、最近、車室内にナビゲータやテレビのようなモニターが設置されるようになってきた。
【０００３】
このようなモニターの設置は、大型車の場合には、その座席シート間あるいは後部座席直前の天井部分に設けることができる（例えば、特許文献１参照）。
【０００４】
しかしながら、小型車の場合はそのような設置方法をとるにはスペース的に余裕がなく、これまでは設置することができなかった。そこで、その他の設置例として、ダッシュボードの上にモニターを設けることが行なわれている（例えば、特許文献２参照）。
【０００５】
ところが、ダッシュボードの上にモニターを設けた場合、運転中、運転者はルームミラーとモニターの両方を別々に見なければならず非常に煩わしいし、また、視界の妨げともなる。
【特許文献１】特開２００５−３１３８２６号公報
【特許文献２】特開２００５−１９９８４５号公報
【発明の開示】
【発明が解決しようとする課題】
【０００６】
本発明は上述の問題に鑑みてなされたもので、小型車であっても装着することができ、しかもルームミラーの確認と同時にモニターのチェックも行うことができる車載用モニター取付装置を提供することをその目的とする。
【課題を解決するための手段】
【０００７】
請求項１に記載した発明は、「(1)車体の内装部材の天井内において、車体の金属フレームＦに取り付けられたテレビ基台本体１２と、(2)ルームミラーＲの上方にてルームミラーＲに隣接するようにモニターＭを配置するための、テレビ基台本体１２に取り付けられたモニター取付部材１４と、(3)テレビ基台本体１２を下から覆う目隠しカバー１６とで構成された車載用モニター取付装置１０であって、(4)テレビ基台本体１２は、本体取付部１８と、その左右方向に張り出すように取り付けられた取付バー２２とを備えており、(5)本体取付部１８は、ルームミラーＲを装着するためのルームミラー固定フレームＦｂに取り付けられ、(6)取付バー２２は、左右のサンバイザーＳを固定するためのサンバイザー固定フレームＦａに取り付けられる」ことを特徴とする車載用モニター取付装置１０である。
【０００８】
この発明によれば、「モニター取付部材１４がルームミラーＲの上方に配置されている」ので、スペースが限られている狭い小型車であってもモニターＭを装着することができ、しかもその設置場所はルームミラーＲの上方であるから、運転者は、ルームミラーＲをチェックすると同時にモニターＭもチェックすることができ、前方の注意を集中しなければならない運転者にとって、運転中の安全を確保することができる。なお、テレビ基台本体１２は下から目隠しカバー１６で覆われているので外からは見えず、外観的にも優れたものとなる。
【０００９】
請求項２に記載した発明は、目隠しカバー１６を限定したものであり、「ルームミラーＲを再装着する再装着孔６２がモニター取付部材１４のフロントガラス側に更に設けられている」ことを特徴とする。
【００１０】
この発明によれば、たとえルームミラーＲがフロントガラスの室内上部に設置されていたとしても、これを付け替えることで、モニターＭとルームミラーＲとを上下に近接させて設置することができる。
【００１１】
また、請求項３に記載した発明のように、車載用モニター取付装置１０の目隠しカバー１６には、「室内灯装着部５６が更に設けられている」ので、室内灯Ｘも同時に取り込むことができ、車載用モニター取付装置１０と一体化することができて美観向上に寄与する。
【発明の効果】
【００１２】
この発明によれば、小型車であっても装着することができ、しかもルームミラーの確認と同時にモニターのチェックも行うことができる車載用モニター取付装置を提供できた。
【発明を実施するための最良の形態】
【００１３】
以下、本発明を図示実施例に従い詳述する。図１は本発明にかかる車載用モニター取付装置１０（以下、単に「取付装置１０」という。）の分解斜視図である。この図が示すように、本発明の取付装置１０は、テレビ基台本体１２と、モニター取付部材１４と、目隠しカバー１６とで大略構成されている。
【００１４】
テレビ基台本体１２は、図１〜２に示すように、金属板材を必要形状に打ち抜き、それを屈曲して形成した本体取付部１８と、その中央屈曲部２０にその左右方向に張り出すように取り付けられた取付バー２２とで構成されている。
【００１５】
本体取付部１８は、本発明の取付装置１０を車体の天井Ｔ内部の金属フレームＦ（Ｆａ，Ｆｂ）に堅固に装着するためのもので、その車体の天井Ｔ内部の構造に合わせて折曲されており、その一端の枠状に抜かれた折曲部分２４には、室内灯Ｘ（図４参照）をビス止めするためのビス孔２６（図１参照）が穿設されており、他端側の折曲部分２８には、ルームミラーＲ（図４参照）を取り付けるための複数の取付孔３０（図２参照）が穿設されている。また、本体取付部１８には、ケーブル挿通用孔１８ａが形成されており、本体取付部１８における他端側の折曲部分２８の左右両側には、上方に向かって延びる鍔３２がそれぞれ形成されている。
【００１６】
本体取付部１８の中央屈曲部２０には、後述するモニター取付部材１４をネジ止めするための２個のネジ孔３４が所定間隔を隔てて穿設されており、各ネジ孔３４の内側には、モニター取付部材１４を位置決めするための丸孔３６がそれぞれ穿設されている。
【００１７】
取付バー２２は、細長い短冊状の部材で、その両端の下方延出部分３８には、車体の天井Ｔ内部の金属フレームＦ（より詳しくは、サンバイザーＳを固定するためのサンバイザー固定フレームＦａ）（図６参照）に堅固に装着するためのビス孔４０が穿設されている。
【００１８】
モニター取付部材１４は、図３に示すように、左右一対の基台部４２と、基台部４２に揺動可能に取り付けられた基台支持部４４と、基台支持部４４に取り付けられたモニター固定部材４６とで構成されている。
【００１９】
各基台部４２は、金属等の剛性材料或いは樹脂等からなる略Ｌ字形状の部材であり、その上面には取付孔４２ａと位置決用ピン４２ｂが形成されており、基台部４２同士が互いに対向する面には支持穴４２ｃが穿設されている。各支持穴４２ｃには、シャフト４８がそれぞれ嵌め込まれており、シャフト４８と基台部４２とが溶接或いは接着等の手段により固着されている。
【００２０】
基台支持部４４は、縦長矩形状の金属板の一方端部を略Ｃ字形に折り返してシャフト４８を抱き込むように構成されており、基台支持部４４の折り返し部分には、その自由端側に丸孔（図示省略）が形成され、丸孔と対向する側にはネジ孔４４ａが形成されている。そして、前記丸孔に挿通された締付用ボルト５０の端部がネジ孔４４ａに螺合されている。
【００２１】
基台支持部４４の他方端部にはネジ孔４４ｂが形成されており、このネジ孔４４ｂにモニター固定部材４６が取り付けられている。
【００２２】
モニター固定部材４６は、取付用ピン５２と調整ツマミ５４とで構成されている。取付用ピン５２は、その断面形状がネジ孔４４ａの内周形状に合わせて形成された略円柱状部材であり、この外周面には雄ネジ５２ａが刻設されており、この雄ネジ５２ａが基台支持部４４のネジ孔４４ｂおよび調整ツマミ５４のネジ孔５４ａに螺合されている。また、取付用ピン５２の先端には、モニターＭの背面に形成されているスライド溝（図示省略）に係合する係合凸部５２ｂが形成されている。なお、係合凸部５２ｂの形状は、モニター背面の取付溝（或いはその他の係止手段）の形状に応じて適宜設定すればよい。
【００２３】
ここで、モニターＭは、カーナビゲーター或いはテレビであり、その背面には、上述したように取付用ピン５２の係合凸部５２ｂを取り付けるためのスライド溝（図示省略）が形成されている。
【００２４】
目隠しカバー１６は、本実施例では図１に示すようなダルマ形のトレー状のもので、通常は、適用する車種の内装天井Ｔの形状およびモニター取付部材１４、ルームミラーＲの位置等に合わせて形成される。図１の目隠しカバー１６は、ルーム側とフロントガラス側とに二分され、ルーム側は大きく凹設されて室内灯Ｘが装着される室内灯装着部５６が形成され、この室内灯装着部５６の底面に室内灯Ｘが臨む室内灯装着用孔５８が形成されている。また、ルーム側とフロントガラス側の境目の段状部分には、モニター取付部材１４が挿通される挿通孔６０が形成されており、更にフロントガラス側には、ルームミラーＲの固定脚Ｒａが挿通配置される再装着孔６２が形成されている。
【００２５】
本発明にかかる取付装置１０が適用される車種は、別段限定されるものではないが、本発明の目的から小型車種が好適である。
【００２６】
図４の実施例では、ルームミラーＲの近傍に室内灯Ｘが装着されているタイプのものである。そして、内装天井Ｔ内には、必要箇所に内装天井Ｔの支持や、例えば室内灯Ｘ、ルームミラーＲ或いはサンバイザーＳを装着するための金属フレームＦ［例えば梁が挙げられる。］が設けられている。
【００２７】
このような取付装置１０の取り付け方について説明する。まず、図５に示すように、内装天井Ｔから室内灯ＸとルームミラーＲとを取り外し、室内灯Ｘに接続されているケーブル類Ｃを取り外し、室内灯Ｘを取り外すことによって現れた開口部６４の周囲を目隠しカバー１６に合わせて切除する（図５の二点鎖線部分）。開口部６４からは、室内灯ＸおよびルームミラーＲを金属フレームＦに取り付けるための既存の取付ステー６６が覗いており、この取付ステー６６についても取り外しておく（後述するが、テレビ基台本体１２の本体取付部１８がこの取付ステー６６の代わりに金属フレームＦ（Ｆａ，Ｆｂ）に取り付けられることになる）。
【００２８】
次に、図６に示すように、モニター取付部材１４をテレビ基台本体１２に取り付ける。具体的には、基台部４２に設けられている位置決用ピン４２ｂを中央屈曲部２０の丸孔３６に嵌合することによりモニター取付部材１４をテレビ基台本体１２に対して位置決めするとともに、取付孔４２ａに挿通したネジ６８の先端をネジ孔３４に螺合する。
【００２９】
そして、このモニター取付部材１４とテレビ基台本体１２との一体物を目隠しカバー１６に合わせて切除した内装天井Ｔの開口部６４から、その大部分が露出するように天井内に挿入し、取付バー２２の両端の下方延出部分３８を金属フレームＦ（より具体的には、サンバイザー固定フレームＦａ）にビス止めする。また、同時に折曲部分２８を金属フレームＦ（より具体的には、ルームミラー固定フレームＦｂ）にビス止めする。これにより、テレビ基台本体１２が金属フレームＦに対して３点固定される。
【００３０】
続いて、内装天井Ｔから取り外した室内灯Ｘを目隠しカバー１６の室内灯装着部５６に装着するとともに、目隠しカバー１６の外周にモール７０を取り付け、内装天井Ｔの所定位置にセットする（このとき、目隠しカバー１６の再装着孔６２が、ルームミラーＲを取り外すことによって現れた開口部７２と一致するように目隠しカバー１６が位置決めされる）。開口部６４から覗いているケーブル類Ｃについては、本体取付部１８のケーブル挿通用孔１８ａに挿通するとともに、その挿通端部を室内灯Ｘのコネクタに再接続しておく。
【００３１】
続いて、目隠しカバー１６の再装着孔６２から覗いているルームミラー固定フレームＦｂにルームミラーＲの支持柱を取り付ける。
【００３２】
そして、最後に、室内灯Ｘを本体取付部１８の折曲部分２４にビス止めし、モニターＭの背面に設けられている取付溝（図示省略）に取付用ピン５２の係合凸部５２ｂを係止させ、調整ツマミ５４を締付ける。これにより、モニター取付部材１４とモニターＭとが固定され、天井面へのモニターＭの取り付けが完了する。
【００３３】
なお、モニター取付部材１４の基台支持部４４は基台部４２に対して揺動可能に取り付けられているので、基台支持部４４の角度を変えてモニターＭを見やすい位置にセットすることができる。このようにすることにより、図７に示すようにルームミラーＲの上方にモニターＭがセットされることになり、運転者はルームミラーＲをチェックするときにモニターＭのチェックもほとんど同時に行うことができ、換言すれば、一つの動作でルームミラーＲのチェックとモニターＭのチェックとを行うことができ、従来のようにルームミラーＲとモニターＭとが離れている場合に比べて運転者の注意を前方に集中させておくことができ、安全運転に資することができる。
【図面の簡単な説明】
【００３４】
【図１】本発明にかかる車載用モニター取付装置を示す分解斜視図である。
【図２】テレビ基台本体を示す斜視図である。
【図３】モニター取付部材を示す斜視図である。
【図４】車載用モニター取付装置を取り付ける前の状態の車室内を示す図である。
【図５】車室灯を取り外した状態を示す図である。
【図６】車載用モニター取付装置を内装天井に取り付ける方法を示す図である。
【図７】車載用モニター取付装置を内装天井に取り付けた状態を示す図である。
【符号の説明】
【００３５】
１０…車載用モニター取付装置
１２…テレビ基台本体
１４…モニター取付部材
１６…目隠しカバー
１８…本体取付部
２０…中央屈曲部
２２…取付バー
２４…折曲部分
２８…折曲部分
４４…基台支持部
４６…モニター固定部材
５６…室内灯装着部
５８…室内灯装着用孔
６４…開口部
７２…開口部
Ｃ…ケーブル類
Ｍ…モニター
Ｒ…ルームミラー
Ｓ…サンバイザー
Ｔ…内装天井
Ｘ…室内灯
【図１】
0005160184.tif 000002
【図２】
0005160184.tif 000003
【図３】
0005160184.tif 000004
【図４】
0005160184.tif 000005
【図５】
0005160184.tif 000006
【図６】
0005160184.tif 000007
【図７】
0005160184.tif 000008